(57)【特許請求の範囲】
【請求項１】
サーバ装置と通信する、少なくとも２つの通信部を備えるクライアント装置であって、
前記通信部のうち、前記サーバ装置との通信可能な通信部を示す情報に基づいて、前記サーバ装置で生成される表示データの生成に用いる表示設定を、前記サーバ装置に接続要求をする前に決定する表示設定決定手段と、
前記表示設定決定手段によって決定された表示設定に基づいて前記サーバ装置に生成させた前記表示データを送信させる遠隔操作手段とを備え、
前記少なくとも２つの通信部のうちの１つは、前記サーバ装置の通信部と、中継装置を介さずに通信するとともに、前記サーバ装置に接続要求をする前に、前記サーバ装置の通信部との通信の可否のみを判断するための通信を行うことを特徴とし、前記サーバ装置との通信可能な通信部を示す情報とは、前記サーバ装置の通信部との通信の可否の結果の情報であり、
前記遠隔操作手段は、前記少なくとも２つの通信部のうちの、他方の通信部により表示データを送信させるクライアント装置。
【請求項２】
前記サーバ装置に接続要求をする際、前記表示設定決定手段により決定された前記表示
設定を前記サーバ装置に送信する請求項１記載のクライアント装置。
【請求項３】
サーバ装置と通信する、少なくとも２つの通信部を備えるクライアント装置の表示設定
方法であって、
前記通信部のうち、前記サーバ装置との通信可能な通信部を示す情報に基づいて、前記
サーバ装置で生成される表示データの生成に用いる表示設定を、前記サーバ装置に接続要
求をする前に決定する表示設定決定ステップと、
前記表示設定決定ステップによって決定された表示設定に基づいて前記サーバ装置に生
成させた前記表示データを送信させる遠隔操作ステップとを備え、
前記少なくとも２つの通信部のうちの１つは、前記サーバ装置の通信部と、中継装置を
介さずに通信するとともに、前記サーバ装置に接続要求をする前に、前記サーバ装置の通
信部との通信の可否のみを判断するための通信を行うことを特徴とし、前記サーバ装置との通信可能な通信部を示す情報とは、前記サーバ装置の通信部との通信の可否の結果の情報であり、
前記遠隔操作ステップにおいて、前記少なくとも２つの通信部のうちの、他方の通信部が表示データを送信する表示設定方法。
【請求項４】
前記サーバ装置に接続要求をする際、前記表示設定決定ステップで決定された前記表示
設定を前記サーバ装置に送信する請求項３記載の表示設定方法。
【請求項５】
サーバ装置と通信する、少なくとも２つの通信部を備えるクライアント装置の表示設定
プログラムであって、
前記通信部のうち、前記サーバ装置との通信可能な通信部を示す情報に基づいて、前記
サーバ装置で生成される表示データの生成に用いる表示設定を、前記サーバ装置に接続要
求をする前に決定する表示設定決定ステップと、
前記表示設定決定ステップによって決定された表示設定に基づいて前記サーバ装置に生
成させた前記表示データを送信させる遠隔操作ステップと、
を前記クライアント装置に実行させ、
前記少なくとも２つの通信部のうちの１つは、前記サーバ装置の通信部と、中継装置を
介さずに通信するとともに、前記サーバ装置に接続要求をする前に、前記サーバ装置の通
信部との通信の可否のみを判断するための通信を行うことを特徴とし、前記サーバ装置との通信可能な通信部を示す情報とは、前記サーバ装置の通信部との通信の可否の結果の情報であり、
前記遠隔操作ステップにおいて、前記少なくとも２つの通信部のうちの、他方の通信部により表示データを送信させる表示設定プログラム。 
【請求項６】
前記サーバ装置に接続要求をする際、前記表示設定決定ステップで決定された前記表示
設定を前記サーバ装置に送信する請求項５記載の表示設定プログラム。
【請求項７】
サーバ装置と、少なくとも２つの通信部を備えるクライアント装置とが通信するクライ
アントサーバシステムであって、
前記クライアント装置は、
前記通信部のうち、前記サーバ装置との通信可能な通信部を示す情報を取得する通信部
情報取得手段と、
前記通信部情報取得手段によって取得された前記通信可能な通信部を示す情報に基づい
て、前記サーバ装置で生成される表示データの生成に用いる表示設定を、前記サーバ装置
に接続要求をする前に決定する表示設定決定手段と、
前記表示設定決定手段によって決定された表示設定を、前記サーバ装置に送信させる遠隔
操作手段とを備え、
前記少なくとも２つの通信部のうちの１つは、前記サーバ装置の通信部と、中継装置を
介さずに通信するとともに、前記サーバ装置に接続要求をする前に、前記サーバ装置の通
信部との通信の可否のみを判断するための通信を行い、前記サーバ装置との通信可能な通信部を示す情報とは、前記サーバ装置の通信部との通信の可否の結果の情報であり、
前記遠隔操作手段は、前記少なくとも２つの通信部のうちの、他方の通信部により表示データを送信させ、
前記サーバ装置は、
前記遠隔操作手段によって送信された前記表示設定を示す情報に基づいて表示データを
生成する画像生成手段と、
前記画像生成手段によって生成された前記表示データをクライアント装置に送出する画
像伝送手段とを備えることを特徴とするサーバクライアントシステム。
【請求項８】
前記サーバ装置に接続要求をする際、前記表示設定決定手段で決定された前記表示設定
を前記サーバ装置に送信する請求項７記載のサーバクライアントシステム。
【発明の詳細な説明】
【技術分野】
【０００１】
本発明は、サーバ装置において生成された表示データをクライアント装置にて表示するサーバクライアントシステムにおいて、当該表示データを生成する際のパラメータの切り替え手法に関する。
【背景技術】
【０００２】
近年、サーバ装置において生成された表示データをクライアント装置へネットワークを介して送信し、クライアント装置の表示画面に当該表示データを表示させるサーバクライアントシステムが普及している。
【０００３】
上述のようなサーバクライアントシステムの技術は、宅内の一室にあるパーソナルコンピュータをサーバ装置とし、当該サーバ装置を、別の部屋や宅外から携帯型のクライアント装置を用いて遠隔で操作するような利用シーンでも活用されてきている。
【０００４】
ところで、上述のようなサーバクライアントシステムでは、サーバ装置から、ネットワークを介して、大容量の表示データをクライアント装置に向けて送信する。従って、送信される表示データのデータ量に対して、ネットワークの帯域が十分でない場合には、クライアント装置への表示データの配信が遅延し、クライアント装置側で、表示データを表示しようとすると、なめらかさに欠ける画像が表示される。
【０００５】
そこで、表示データの圧縮率を高くしてデータ量を小さくすることで遅延を抑制し、表示データがなめらかに表示されるようにする表示設定（以下、動き優先モードという。）と、動画データの圧縮率を低くして高精細な表示データが表示されるようにする表示設定（以下、画質優先モードという。）とを、ユーザーの操作によって、切り替えることが可能なサーバクライアントシステムが登場している。
【０００６】
特許文献１、特許文献２、特許文献３には、サーバ装置において生成された表示データをクライアント装置へ送信し、クライアント装置の表示画面に表示データを表示させるサーバクライアントシステムが開示されている。
【０００７】
【特許文献１】特開２００７−２６５２０９号公報
【特許文献２】特開２００７−２６５２０８号公報
【特許文献３】特開２００７−２６５２０７号公報
【発明の開示】
【発明が解決しようとする課題】
【０００８】
ところで、一般的に宅内の無線ＬＡＮ（Ｌｏｃａｌ  Ａｒｅａ  Ｎｅｔｗｏｒｋ）では十分な帯域が確保されており、表示データの配信の遅延が生じることは少ない。このため、画質優先モードに設定しても、高精細な表示データがなめらかに表示される。
【０００９】
一方で、屋外で利用可能な無線通信サービスにおいては、十分な帯域の通信環境が提供されていないことが多い。このため、宅外から、自宅のサーバ装置に接続して、サーバ装置において生成された表示データをクライアント装置で表示させようとすると、画質優先モードに設定していると、表示データの配信が遅延するため、ユーザーは動き優先モードの設定に切り替える必要がある。
【００１０】
しかしながら、従来、動き優先モードと画質優先モードとの切り替えは、ユーザーの手動操作によって行われていたため、操作の煩わしさがあった。特に、宅内で画質優先モードの設定で使用していたクライアント装置を、宅外に持ち出して、サーバ装置に接続しようとすると、画質優先モードの設定のままで接続されるため、接続直後から表示データの配信の遅延が起こり、表示データがなかなか表示されない上に表示設定の切り替え操作が必要になるという煩わしさは大きな問題となっていた。
【００１１】
そこで、本発明は、クライアント装置が宅外にあると判断される場合に、自動的に表示設定を切り替えることのできるサーバクライアントシステムを提供することを目的とする。
【課題を解決するための手段】
【００１２】
本発明の第１のクライアント装置は、１以上の中継装置に中継されて、サーバ装置と通信するクライアント装置であって、前記中継装置のうち、前記クライアント装置と直接接続されている中継装置を示す情報に基づいて、前記サーバ装置で生成される表示データの生成に用いる表示設定を決定する表示設定決定手段と、前記表示決定設定手段によって決定された表示設定に基づいて前記サーバ装置に生成させた前記表示データを送信させる遠隔操作手段とを備えることを特徴とする。
【００１３】
本発明の第２のクライアント装置は、サーバ装置と通信する、少なくとも２つの通信部を備えるクライアント装置であって、前記通信部のうち、前記サーバ装置との通信可能な通信部を示す情報に基づいて、前記サーバ装置で生成される表示データの生成に用いる表示設定を決定する表示設定決定手段と、前記表示設定決定手段によって決定された表示設定に基づいて前記サーバ装置に生成させた前記表示データを送信させる遠隔操作手段とを備えることを特徴とする。
【００１４】
本発明の第１の表示設定方法は、１以上の中継装置に中継されて、サーバ装置と通信するクライアント装置の表示設定方法であって、前記中継装置のうち、前記クライアント装置と直接接続されている中継装置を示す情報に基づいて、前記サーバ装置で生成される表示データの生成に用いる表示設定を決定させり表示設定決定ステップと、前記表示決定設定手段によって決定された表示設定に基づいて前記サーバ装置に生成させた前記表示データを送信させる遠隔操作ステップを備えることを特徴とする。
【００１５】
本発明の第２の表示設定方法は、サーバ装置と通信する、少なくとも２つの通信部を備えるクライアント装置の表示設定方法であって、前記通信部のうち、前記サーバ装置との通信可能な通信部を示す情報に基づいて、前記サーバ装置で生成される表示データの生成に用いる表示設定を決定させる表示設定決定ステップと、前記表示設定決定ステップによって決定された表示設定に基づいて前記サーバ装置に生成させた前記表示データを送信させる遠隔操作ステップとを備えることを特徴とする。
【００１６】
本発明の第１の表示設定プログラムは、１以上の中継装置に中継されて、サーバ装置と通信するクライアント装置の表示設定プログラムであって、前記中継装置のうち、前記クライアント装置と直接接続されている中継装置を示す情報に基づいて、前記サーバ装置で生成される表示データの生成に用いる表示設定を決定させり表示設定決定ステップと、前記表示決定設定手段によって決定された表示設定に基づいて前記サーバ装置に生成させた前記表示データを送信させる遠隔操作ステップを備えることを特徴とする。
【００１７】
本発明の第２の表示設定プログラムは、サーバ装置と通信する、少なくとも２つの通信部を備えるクライアント装置の表示設定方法であって、前記通信部のうち、前記サーバ装置との通信可能な通信部を示す情報に基づいて、前記サーバ装置で生成される表示データの生成に用いる表示設定を決定させる表示設定決定ステップと、前記表示設定決定ステップによって決定された表示設定に基づいて前記サーバ装置に生成させた前記表示データを送信させる遠隔操作ステップとを備えることを特徴とする。
【００１８】
本発明の第１のサーバクライアントシステムは、１以上の中継装置に中継されて、サーバ装置とクライアント装置とが通信するクライアントサーバシステムであって、前記クライアント装置は、前記中継装置のうち、前記クライアント装置と直接接続されている中継装置を示す情報を取得する中継装置情報取得手段と、前記中継装置情報取得手段によって取得された前記直接接続されている中継装置を示す情報に基づいて、前記サーバ装置が表示データの生成の際に用いる表示設定を決定する表示設定決定手段と、前記表示設定決定手段によって決定された前記表示設定を示す情報を、前記サーバ装置に送信する遠隔操作手段とを備え、前記サーバ装置は、前記遠隔操作手段によって送信された前記表示設定を示す情報に基づいて表示データを生成する画像生成手段と、前記画像生成手段によって生成された前記表示データをクライアント装置に送出する画像伝送手段とを備えることを特徴とする。
【００１９】
本発明の第２のサーバクライアントシステムは、サーバ装置と、少なくとも２つの通信部を備えるクライアント装置とが通信するクライアントサーバシステムであって、前記クライアント装置は、前記通信部のうち、前記サーバ装置との通信可能な通信部を示す情報を取得する通信部情報取得手段と、前記通信部情報取得手段によって取得された前記通信可能な通信部を示す情報に基づいて、前記サーバ装置で生成される表示データの生成に用いる表示設定を決定する表示設定決定手段と、前記表示設定決定手段によって決定された表示設定を、前記サーバ装置に送信する遠隔操作手段とを備え、前記サーバ装置は、前記遠隔操作手段によって送信された前記表示設定を示す情報に基づいて表示データを生成する画像生成手段と、前記画像生成手段によって生成された前記表示データをクライアント装置に送出する画像伝送手段とを備えることを特徴とする。
【発明の効果】
【００２０】
本発明によれば、クライアント装置が宅外にあると判断される場合に、自動的に表示設定を切り替えることのできるサーバクライアントシステムを提供することができる。
【図面の簡単な説明】
【００２１】
【図１】本発明の実施の形態のサーバクライアントシステムを説明するためのブロック図である。
【図２】本発明の実施の形態のサーバクライアントシステムの動作を説明するためのフローチャートである。
【図３】本発明の実施の形態のサーバクライアントシステムを説明するためのブロック図である。
【図４】本発明の実施の形態のサーバクライアントシステムの動作を説明するためのフローチャートである。
【発明を実施するための最良の形態】
【００２２】
以下、図面を参照して本発明を実施するための最良の形態について説明する。図１は、本発明の実施の形態のサーバクライアントシステムを説明するためのブロック図である。
【００２３】
図１を参照すると、本発明の実施の形態のサーバクライアントシステムでは、サーバ装置１０と、クライアント装置４０とからなる。サーバ装置１０とクライアント装置４０とは、ネットワークを介して接続される。
【００２４】
なお、サーバ装置１０とクライアント装置４０とが、ネットワークを介して接続される場合には、１つ以上のルータが、サーバ装置１０とクライアント装置４０との間で通信されるデータを中継する。
【００２５】
まず、本発明の実施の形態のサーバクライアントシステムの概略を説明すると、クライアント装置４０が、サーバ装置１０に接続要求する前に、接続先のルータの情報を取得し、当該ルータが宅内のルータと異なる場合には、サーバ装置１０に動き優先モードで表示データを配信させる。以下、詳細に説明する。
【００２６】
サーバ装置１０は、制御部２０と表示部３０とからなる。制御部２０は、記録媒体に格納されたプログラムを読み込んで実行することにより、画像生成手段２１と、画像伝送手段２２と、表示設定切替手段２３とを論理的に備える。なお、表示生成手段２１と、画像伝送手段２２と、表示設定切替手段２３とは、それぞれ専用のハードウェアで実現されていても良い。
【００２７】
クライアント装置４０は、制御部５０と表示部６０とからなる。制御部５０は、記録媒体に格納されたプログラムを読み込んで実行することにより、画像表示手段５１と、遠隔操作手段５２とを論理的に備える。
【００２８】
ルータ７０は、クライアント装置４０とネットワークを介して、直接に接続されているルータ装置である。ルータ７０は、サーバ装置１０とクライアント装置４０との間の通信を中継する。
【００２９】
次に、図２を参照して、本発明の実施の形態（第１の実施例）の動作について説明する。図２は、本発明の実施の形態の動作を説明するためのフローチャートである。
【００３０】
図２を参照すると、ユーザーの操作によってサーバ装置１０への接続要求があった場合に、遠隔操作手段５２は、クライアント装置４０が直接接続されるルータ７０の情報を取得する（ステップＳ１０１）。
【００３１】
ステップＳ１０１で、遠隔操作手段５２が取得するルータ７０の情報の具体例は、ルータ７０のグローバルＩＰアドレスが挙げられる。あるいは、ルータ７０を識別する番号等の情報であっても良い。
【００３２】
ステップＳ１０１で、ルータ７０の情報が取得されると、遠隔操作手段５２は、宅内のＬＡＮで使用される場合のルータの設定情報と一致するか確認する（ステップＳ１０２）。宅内のＬＡＮで使用されるルータの設定情報は、予め設定されることによってクライアント装置４０の所定の記憶領域に格納されている。ルータの設定情報の具体例は、宅内のＬＡＮのグローバルＩＰアドレスの情報である。
【００３３】
なお、一般に、宅外の無線ＬＡＮ等の通信サービスを利用する場合、複数のルータを中継されて、サーバ装置１０とクライアント装置４０とは通信を行う。したがってサーバ装置１０とクライアント装置４０とは同一のルータに基づいて通信されることはない。
【００３４】
一方、宅内ＬＡＮでの接続を行う場合には、サーバ装置１０とクライアント装置４０とは、１つのルータを介して接続されているのが一般的である。また、予めクライアント装置４０においては、宅内ＬＡＮで使用するルータのグローバルＩＰアドレスといった情報は予め取得可能である。ステップＳ１０１で、クライアント装置４０が直接に接続されているルータ７０の情報を取得することで、宅内ＬＡＮで使用するルータの情報と一致しなければ、宅外にクライアント装置４０があると判断することができる。
【００３５】
ステップＳ１０２で、宅内ＬＡＮで使用されるルータの設定情報と一致しない場合には（ステップＳ１０２／ＮＯ）、遠隔操作手段５２は、表示設定を動き優先モードに設定する（ステップＳ１０３ａ）。つまり、ステップＳ１０２で、宅内ＬＡＮで使用されるルータの設定情報と、クライアント装置４０が接続しているルータの情報が一致しない場合には、クライアント装置４０は、宅外にあると判断する。
【００３６】
一方、ステップＳ１０２で、宅内ＬＡＮで使用されるルータの設定情報と一致した場合は（ステップＳ１０２／ＹＥＳ）、遠隔操作手段５２は、表示設定を画質優先モードに設定する（ステップＳ１０３ｂ）。つまり、ステップＳ１０２で、宅内ＬＡＮで使用されるルータの設定情報と、クライアント装置４０が接続しているルータの情報が一致する場合には、クライアント装置４０は、宅内にあると判断する。
【００３７】
ステップＳ１０３ａ／Ｓ１０３ｂで表示設定が行われると、遠隔操作手段５２は、サーバ装置１０に対して接続要求を行う（ステップＳ１０４）。このときに、遠隔操作手段５２は、サーバ装置１０に、ステップＳ１０３ａ／Ｓ１０３ｂで設定された表示設定を示す情報を併せてサーバ装置１０に送信する。
【００３８】
なお、ステップＳ１０４で接続要求がなされると、サーバ装置１０とクライアント装置４０との間での、通信コネクションを確立する処理が行われる。
【００３９】
ステップＳ１０４で接続要求が行われると、表示設定切替手段２３は、クライアント装置４０から受信した表示設定を示す情報を取得して、表示設定を行う（ステップＳ１０５）。
【００４０】
より具体的には、受信した表示設定を示す情報が、動き優先モードを示すものであったならば、表示設定切替手段２３は、表示データを生成する際に、動き優先モードで生成するよう設定する。逆に、表示設定を示す情報が、画質優先モードを示すものであったならば、表示設定切替手段２３は、表示データを生成する際に、画質優先モードで生成するよう設定する。
【００４１】
ステップＳ１０５で、表示設定が行われると、画像生成手段２１は、クライアント装置４０に送出する表示データの生成を行う（ステップＳ１０６）。より具体的には、表示部３０に表示されている画像をキャプチャして、エンコードを行う。
【００４２】
エンコードを行う際のパラメータは、ステップＳ１０５で設定されている表示設定に従う。より具体的には、パラメータとしては、圧縮率、フレームレート、ビットレート、表示データの解像度といったパラメータが挙げられるがこれらに限定はされない。
【００４３】
例えば、動き優先モードの場合には、圧縮率は高い設定とする。また、動き優先モードの場合には、ビットレートや解像度を低く設定するとしても良い。
【００４４】
一方画質優先モードの場合には、圧縮率は低い設定とし、ビットレートや解像度も高く設定する。また、画質優先モードの場合には、フレームレートを低く設定するとしても良い。
【００４５】
ステップＳ１０６で、表示データの生成が行われると、画像伝送手段２２は、表示データをクライアント装置４０に送出する（ステップＳ１０７）。
【００４６】
ステップＳ１０７で表示データが送出され、クライアント装置４０が受信すると、画像表示手段５１は、表示データを表示部６０に表示する（ステップＳ１０８）。なお、表示データを表示する際に用いるパラメータを示す情報は、ステップＳ１０７で表示データとともに、送信するものとしても良いし、ステップＳ１０５で設定される表示設定に基づいて判断することとしても良い。
【００４７】
なお、ステップＳ１０４で接続要求を行う際に、サーバ装置１０に電源が投入されていない場合もある。従って、遠隔操作手段５２は、ステップＳ１０４の接続要求を行う前に、サーバ装置１０の起動要求をまず行うようにしても良い。具体的には、Ｗａｋｅ−Ｏｎ−ＬＡＮといった技術を用いることが考えられる。つまり、本発明は、接続先のサーバ装置１０に電源が投入されておらず、互いの装置が同一ＬＡＮに接続されているか判断できない場合においても適用できる。
【００４８】
また、本発明の実施の形態においては、遠隔操作手段５２は、サーバ装置１０との接続前にルータの情報を取得するとして説明したが、サーバ装置１０とクライアント装置４０とが通信中の間も、所定の時間おきに遠隔操作手段５２が、ルータの情報を取得するようにし、通信中の間も動的に表示設定を切り替えるようにしても良い。このようにすれば、ユーザーが、サーバ装置１０との接続をさせたまま、クライアント装置４０を宅外に持ち出した場合でも、自動的に表示設定が切り替えられるので、煩わしい切替操作を行う必要がなくなる。
【００４９】
次に、本発明の異なる実施の形態（第２の実施例）の説明をする。
【００５０】
図３は、本発明の異なる実施の形態のサーバクライアントシステムを説明するためのブロック図である。
【００５１】
図３を参照すると、本発明の異なる実施の形態のサーバクライアントシステムでは、第１の実施例と同様に、サーバ装置１０と、クライアント装置４０とからなる。サーバ装置１０とクライアント装置４０とは、ネットワークを介して接続される。
【００５２】
まず、本発明の異なる実施の形態のサーバクライアントシステムの概略を説明すると、クライアント装置４０が、サーバ装置１０に接続要求する前に、サーバ装置１０とクライアント装置４０とが、クライアント装置４０の備える短距離通信用の第１の通信部が、サーバ装置１０の備える短距離通信用の第１の通信部に対して小電力の電波を送信し、サーバ装置１０から送信される、当該電波を正常に受信したことを示す小電力の電波が検出されない場合は、近距離ではないと判断し、サーバ装置１０に動き優先モードで表示データを配信させる。以下、詳細に説明する。
【００５３】
サーバ装置１０は、制御部２０と表示部３０と近距離通信部７１とからなる。制御部２０は、記録媒体に格納されたプログラムを読み込んで実行することにより、画像生成手段２１と、画像伝送手段２２と、表示設定切替手段２３とを論理的に備える。なお、表示生成手段２１と、画像伝送手段２２と、表示設定切替手段２３とは、それぞれ専用のハードウェアで実現されていても良い。
【００５４】
クライアント装置４０は、制御部５０と表示部６０と近距離通信部７２とからなる。制御部５０は、記録媒体に格納されたプログラムを読み込んで実行することにより、画像表示手段５１と、遠隔操作手段５２とを論理的に備える。
【００５５】
近距離通信部７１と、近距離通信部７２とは、それぞれ近距離通信用の無線通信機器であり、近距離通信部７２から小電力の電波を送信し、近距離通信部７１が当該電波を受信すると、電波を近距離通信部７２に送信することで、互いに通信するものである。近距離通信部７１が、近距離通信部７２から送信された電波を受信できない場合には、互いの位置が離れていることになる。なお、近距離通信部７１は、サーバ装置１０に電源が投入されていない場合にも、電源が供給されているものである。
【００５６】
近距離通信部の具体的な例としては、ＰＡＮ（Ｐｅｒｓｏｎａｌ  Ａｒｅａ  Ｎｅｔｗｏｒｋ）での通信を目的として利用される、Ｂｌｕｅｔｏｏｔｈ（登録商標）、ＵＷＢ、Ｚ−Ｗａｖｅ（登録商標）、ＺｉｇＢｅｅ（登録商標）などの技術を用いた通信機器が挙げられるが、これらに限定されない。これらの無線通信機器は、一般的に、１０ｍから１００ｍ程度の距離での通信が可能である。
【００５７】
次に、図４を参照して、本発明の異なる実施の形態（第２の実施例）の動作について説明する。図４は、本発明の実施の形態の動作を説明するためのフローチャートである。
【００５８】
図４を参照すると、ユーザーの操作によってサーバ装置１０への接続要求指示があった場合に、遠隔操作手段５２は、近距離通信部７２から小電力の電波をサーバ装置１０が備える近距離通信部７１に対して送信する（ステップＳ２０１）。
【００５９】
近距離通信部７１は、ステップＳ２０１で送信された電波を受信すると、近距離通信部７２に対して、小電力の電波を送信する。
【００６０】
ステップＳ２０１で、電波が送信されると、遠隔操作手段５２は、一定時間、近距離通信部７１から送信される電波を受信するべく待機する（ステップＳ２０２）。
【００６１】
ステップＳ２０２で、近距離通信部７１からの電波を受信できなかった場合は（ステップＳ２０２／ＮＯ）、遠隔操作手段５２は、表示設定を動き優先モードに設定する（ステップＳ２０３ａ）。つまり、ステップＳ２０２で、近距離通信部７１から送信される電波を受信できなかった場合は、クライアント装置４０は、近距離通信部７１と近距離通信部７２とは互いに通信可能な範囲にないことから、宅外にあると判断する。
【００６２】
一方、ステップＳ２０２で、近距離通信部７１からの電波を受信できた場合は（ステップＳ２０２／ＹＥＳ）、遠隔操作手段５２は、表示設定を画質優先モードに設定する（ステップＳ２０３ｂ）。つまり、ステップＳ２０２で、近距離通信部７１から送信される電波を受信できた場合は、クライアント装置４０は、近距離通信部７１と近距離通信部７２とは近距離にあるため、宅内にあると判断する。つまり、第２の実施例においては、サーバ装置との間の距離でもって、クライアント装置４０が宅内にあるか、宅外にあるかを判定する。
【００６３】
ステップＳ２０３ａ／Ｓ２０３ｂで表示設定が行われると、遠隔操作手段５２は、サーバ装置１０に対して接続要求を行う（ステップＳ２０４）。このときに、遠隔操作手段５２は、サーバ装置１０に、ステップＳ２０３ａ／Ｓ２０３ｂで設定された表示設定を示す情報を併せてサーバ装置１０に送信する。
【００６４】
なお、ステップＳ２０４で接続要求がなされると、サーバ装置１０とクライアント装置４０との間での、通信コネクションを確立する処理が行われる。
【００６５】
ステップＳ２０４で接続要求が行われると、表示設定切替手段２３は、クライアント装置４０から受信した表示設定を示す情報を取得して、表示設定を行う（ステップＳ２０５）。
【００６６】
より具体的には、受信した表示設定を示す情報が、動き優先モードを示すものであったならば、表示設定切替手段２３は、表示データを生成する際に、動き優先モードで生成するよう設定する。逆に、表示設定を示す情報が、画質優先モードを示すものであったならば、表示設定切替手段２３は、表示データを生成する際に、画質優先モードで生成するよう設定する。
【００６７】
ステップＳ２０５で、表示設定が行われると、画像生成手段２１は、クライアント装置４０に送出する表示データの生成を行う（ステップＳ２０６）。より具体的には、表示部３０に表示されている画像をキャプチャして、エンコードを行う。
【００６８】
エンコードを行う際のパラメータは、ステップＳ２０５で設定されている表示設定に従う。より具体的には、パラメータとしては、圧縮率、フレームレート、ビットレート、表示データの解像度といったパラメータが挙げられるがこれらに限定はされない。
【００６９】
例えば、動き優先モードの場合には、圧縮率は高い設定とする。また、動き優先モードの場合には、ビットレートや解像度を低く設定するとしても良い。
【００７０】
一方画質優先モードの場合には、圧縮率は低い設定とし、ビットレートや解像度も高く設定する。また、画質優先モードの場合には、フレームレートを低く設定するとしても良い。
【００７１】
ステップＳ２０６で、表示データの生成が行われると、画像伝送手段２２は、表示データをクライアント装置４０に送出する（ステップＳ２０７）。
【００７２】
ステップＳ２０７で表示データが送出され、クライアント装置４０が受信すると、画像表示手段５１は、表示データを表示部６０に表示する（ステップＳ２０８）。
【００７３】
ここで、表示データを表示する際に用いるパラメータを示す情報は、ステップＳ２０７で表示データとともに、クライアント装置４０に送信するものとしても良いし、ステップＳ２０５で設定される表示設定に基づいて判断することとしても良い。
【００７４】
なお、ステップＳ２０４で接続要求を行う際に、サーバ装置１０に電源が投入されていない場合もある。従って、遠隔操作手段５２は、ステップＳ２０４で接続要求をする前に、サーバ装置１０の起動要求をまず行うようにしても良い。具体的には、Ｗａｋｅ−Ｏｎ−ＬＡＮといった技術を用いることが考えられる。つまり、本発明は、接続先のサーバ装置１０に電源が投入されておらず、互いの装置が、同一ＬＡＮに接続されているか判断できない場合においても適用できる。加えて、ルータ７０の情報を取得する時間を要さない。
【００７５】
また、本発明の実施の形態においては、遠隔操作手段５２は、サーバ装置１０との接続前に近距離通信部７１と近距離通信部７２との間の通信が可能かを判断するとして説明したが、サーバ装置１０とクライアント装置４０とが通信中の間も、所定の時間間隔で（例えば１分毎）、遠隔操作手段５２が、ルータの情報を取得するようにし、通信中の間も動的に表示設定を切り替えるようにしても良い。このようにすれば、ユーザーが、サーバ装置１０との接続をさせたまま、クライアント装置４０を宅外に持ち出した場合でも、自動的に表示設定が切り替えられるので、煩わしい切替操作を行う必要がなくなる。
【００７６】
以上の処理により、ユーザーは、宅外で、クライアント装置から宅内のサーバ装置に接続して使用する場合では、適切な表示設定に自動的に切り替えられるため、接続前に、煩わしい表示設定の切替を行う必要がなくなる。
【００７７】
なお、第１の実施例に係るクライアント装置において実装される技術と、第２の実施例に係るクライアント装置において実装される技術とは、同一のクライアント装置において実装されていても良い。第２の実施例に係るクライアント装置において実装される表示設定切替手段２３は、ルータ７０への接続することが不要である。一方、第１の実施例に係るクライアント装置において実装される表示設定切替手段２３は、近距離通信部７１と近距離通信部７２とをサーバ装置１０とクライアント装置４０とにそれぞれ備える必要がなく、製造コストを安く抑えられ、さらに、宅内でも近距離通信ができないような距離であってもルータ７０の情報を参照することによって、クライアント装置４０が宅内にあるか、宅外にあるかを、より高い精度で判断できる。
【符号の説明】
【００７８】
１０  サーバ装置
２０  制御部
２１  画面生成手段
２２  画像伝送手段
２３  表示設定切替手段
３０  表示部
４０  クライアント装置
５０  制御部
５１  画像表示手段
５２  遠隔操作手段
６０  表示部
７０  ルータ
７１  近距離通信部
７２  近距離通信部
【図１】
0005625300.tif 000002
【図２】
0005625300.tif 000003
【図３】
0005625300.tif 000004
【図４】
0005625300.tif 000005